(57)【要約】  カートンが、上部の開いた包装箱（１０）と別個の上蓋（２０）とを含み、少なくとも１つの補強された取っ手を構成される。この又はそれぞれの補強された取っ手は、部分的には上部の開いた包装箱（１０）によって、また部分的には上蓋（２０）によって構成される。すなわち、上部の開いた包装箱と、別個の上蓋と、を含むタイプのカートンにおいて、カートンは、該カートンを持ち上げて運ぶことを容易にするための持ち運び用取っ手を具備し、持ち運び用取っ手は、少なくとも１つの多層構成の補強された取っ手を含み、又はそれぞれの補強された取っ手の少なくとも１つの層は、上部の開いた包装箱によって構成され、又はそれぞれの補強された取っ手の少なくとも１つのさらなる層は、上蓋によって構成される。
2007532420.tif 000002
【特許請求の範囲】
【請求項１】
上部の開いた包装箱と別個の上蓋を含むタイプのカートンにおいて、
前記カートンは該カートンを持ち上げて運ぶことを容易にするための持ち運び用取っ手装置を具備し、
前記持ち運び用取っ手装置は少なくとも１つの多層構造から成る補強された取っ手を含み、
補強された前記取っ手又は各取っ手の少なくとも１つの層が上部の開いた前記包装箱によって構成され、
補強された前記取っ手又が各取っ手の少なくとも１つのさらなる層が前記上蓋によって構成される取っ手。
【請求項２】
前記上部の開いた包装箱によって構成される補強された前記取っ手又は各取っ手の前記層が上部の開いた前記包装箱の側壁のうちの１つから構成され、
補強された前記取っ手又は各取っ手の前記１つのさらなる層が前記上蓋に折り曲げ可能につながっている取っ手パネルによって構成される、請求項１に記載の持ち運び用取っ手。
【請求項３】
前記上蓋に折り曲げ可能につながっている前記取っ手パネルが前記側壁のうちの１つから構成される補強された前記取っ手又は各取っ手の前記層の内側表面に固定される、請求項２に記載の持ち運び用取っ手。
【請求項４】
補強された前記取っ手又は各取っ手のさらなる層が前記取っ手パネルのそれぞれに折り曲げ可能につながっている、請求項２または請求項３に記載の持ち運び用取っ手。
【請求項５】
補強された前記取っ手又は各取っ手の前記さらなる層が前記側壁のうちの１つから構成される前記層の外側表面に固定される、請求項４に記載の持ち運び用取っ手。
【請求項６】
上部の開いた包装箱と別個の上蓋を含むタイプのカートンであって、
上部の開いた前記包装箱の壁のうちの少なくとも１つが上部の開いた前記包装箱内へ下向きに延在するように折り曲げられている折り曲げ可能な上部フラップを具備し、
前記上蓋が前記上部フラップと係合するための係合タブを含み、
前記係合タブが前記１つの壁と前記上部フラップの間に配置されて、前記上蓋が上部の開いた前記包装箱の上側縁部より下の窪んだ位置に配置されるように前記上部フラップが係合するカートン。
【請求項７】
上部の開いた包装箱と上蓋を含むタイプのカートンを構成するための２つの部分からなる無地材料であって、
上部の開いた前記包装箱を構成するための第１の無地材料と、
前記上蓋を構成するための第２の無地材料と、を含み、
前記カートンが該カートンを持ち上げて運ぶことを容易にするための少なくとも１つの補強された取っ手を具備し、
補強された前記取っ手又は各取っ手が多層構造からなり、
補強された前記取っ手又は各取っ手の少なくとも１つの層が前記第１の無地材料によって構成され、
補強された１つの前記取っ手又は各取っ手の少なくとも１つのさらなる層が前記第２の無地材料によって構成される２つの部分からなる無地材料。
【請求項８】
前記第１の無地材料が側壁を含み、
前記第１の無地材料によって構成される補強された前記取っ手又は各取っ手の前記少なくとも１つの層が前記側壁のうちの１つから構成される、請求項７に記載の２つの部分からなる無地材料。
【請求項９】
前記第２の無地材料が補強された前記取っ手又は各取っ手の前記少なくとも１つのさらなる層を構成するための少なくとも１つの取っ手パネルを含む、請求項７または請求項８に記載の２つの部分からなる無地材料。
【発明の詳細な説明】
【技術分野】
【０００１】
本発明は、瓶などの複数の類似した品物を収納するためのカートン、及びこれらの瓶をカートン内に保持するための手段に関し、詳細には、これらの品物にアクセスする手段に関する。
【背景技術】
【０００２】
複数の品物を入れるためのカートンは、ソフトドリンクやその他の飲み物など、所望の数量の個々の品物を消費者が入手して運べるようにする上で有用である。このようなカートンには、複数の品物を支えるだけの十分な強度が必要であり、とりわけそれらの品物が瓶である場合にはそうである。このようなカートンにとっては、取り扱いが容易でポータブルであることも望ましい。
【０００３】
カートン内に収納されている品物が見えるようになっていること、及びカートンが、広告用の図柄を印刷できる広い領域を有することも望ましい場合が多い。品物へ容易にアクセスできることが望ましい場合も多く、また、品物がカートン内の所定の位置に固定されることも好ましく、とりわけそれらの品物が壊れやすい場合、たとえばガラスの瓶である場合には、そうである。しかし品物が、たとえば購入される前に、あまりにも容易にアクセスされることは望ましくない。
【０００４】
品物の中身が消費された後に空の品物をリサイクリングポイントへ返却するために使用できるカートンを有することも望ましい。
【発明の開示】
【発明が解決しようとする課題】
【０００５】
本発明は、品物又はこれらの品物の一部を見えるようにするための手段をこれらの品物を取り出すためのアクセス手段と組み合わせて構成し、その際にアクセス手段がリサイクリングポイントへ返却する目的で品物を差し替えるための十分な完全性をカートンに残しておくように構成される。
【課題を解決するための手段】
【０００６】
本発明の第１の態様によれば、上部の開いた包装箱と別個の上蓋を含むタイプのカートンにおいて、このカートンは少なくとも１つの補強された取っ手構造体を具備し、この装置構成は補強された取っ手構造体の各々が多層構造からなり、少なくとも１つの層は上部の開いた包装箱によって構成され、少なくとも１つのさらなる層は上蓋によって構成される。
【０００７】
上部の開いた包装箱が側壁を含み、この上部の開いた包装箱によって構成される補強された取っ手構造体の層がこれらの側壁のうちの１つから切り取られ、補強された取っ手構造体のさらなる層が上蓋に折り曲げ可能につながっている取っ手パネルによって構成されることが好ましい。
【０００８】
さらに、上蓋に折り曲げ可能につながっている取っ手パネルは上述の側壁のうちの１つから切り取られる補強された取っ手構造体の層の内側表面と平面接触状態で固定することができる。補強された取っ手構造体のさらなる層は取っ手パネルに折り曲げ可能につながっている上蓋によって構成することができる。
【０００９】
補強された取っ手構造体のさらなる層は上述の側壁のうちの１つから切り取られる層の外側表面と平面接触状態で固定されることが好ましい。
【００１０】
本発明の第２の態様によれば、上部の開いた包装箱と別個の上蓋を含むタイプのカートンであって、上部の開いた包装箱の壁のうちの少なくとも１つが上部の開いた包装箱内へと下に延在するように折り曲げられている上部フラップを具備し、上蓋が上部フラップと係合するための係合タブを含み、この係合タブが１つの壁と上部フラップの間に面接触する関係で配置され、上蓋が上部の開いた包装箱の上部より下の窪んだ位置に錠止されるような配置になるように上部フラップが係合する。
【００１１】
本発明の第３の態様によれば、上蓋を具備する上部の開いた包装箱を含むタイプのカートンを構成するための２つの部分からなる無地材料であって、第１の無地材料が組み立てられて上部の開いた包装箱を構成し、第２の無地材料が組み立てられて上蓋を構成し、組み立てられたカートンは少なくとも１つの補強された取っ手構造体を具備し、補強された取っ手構造体又は各取っ手構造体が多層構造からなるように構成され、少なくとも１つの層が上部の開いた包装箱によって構成され、少なくとも１つのさらなる層が上蓋によって構成される。
【００１２】
第１の無地材料が側壁を含み、組み立てられたカートン内に上部の開いた包装箱によって構成される補強された取っ手構造体の少なくとも１つの層がこれらの側壁のうちの１つから切り取られることが好ましい。
【００１３】
さらに第２の無地材料は上蓋によって構成される補強された取っ手構造体の少なくとも１つの層を組み立てられたカートン内に構成するための少なくとも１つの取っ手パネルを含むことができる。
【００１４】
次いで本発明の例示的な実施形態について、例示のみを目的として、添付の図面を参照して説明する。
【発明を実施するための最良の形態】
【００１５】
図１Ａ及び図１Ｂは、２つの部分からなる無地材料の第１及び第２の部分をそれぞれ示しており、これらは、カートン３０を構成するためのものであり、板紙又は類似の折り曲げ可能なシート材料から作成されている。本発明の範囲から逸脱することなく、１つの部分からなる無地材料を代わりに使用することができると想定される。本発明の第１の実施形態においては、図１Ａ及び図１Ｂの２つの無地材料１０及び２０が、それぞれ管状の枠箱及びカバーへと構成される。カバーが、管状の枠箱内へ挿入されて、第１の実施形態のカートン３０を構成し、これが図１Ｃに示されている。
【００１６】
説明する実施形態においては、本発明に対して軽微な変更を行うことができ、たとえば当技術分野で知られているタイプのクラッシュボトムを本発明の範囲から逸脱することなく採用できるということが認識できるであろう。本発明は、瓶などの類似した品物を受け入れるように構成されているが、本発明は、本発明の範囲から逸脱することなく、その他の品物を収納するために使用できることが想定される。
【００１７】
図１Ａを参照すると、無地材料１０は、第１の側壁１２、フロントパネル１４、第２の側壁１６、及びバックパネル１８を含み、これらは、それぞれ折り曲げ線４２、４４、４６、及び４８に沿って自分から隣へ連続して折り曲げ可能につながっている。取っ手開口５４が、フロントパネル１４及びバックパネル１８から切り取られている。指かけつまみ５８が、取っ手開口５４の上側縁部から内側へ突き出している。これらの指かけつまみによって、組み立てられたカートンを容易につかんで、取っ手開口５４によって持ち上げることができる。
【００１８】
無地材料は、下側端部フラップ７２及び７４をさらに含み、これらは、折り曲げ線６２に沿って第１の側壁１２及び第２の側壁１６のそれぞれに、及び折り曲げ線６４に沿ってフロントパネル１４及びバックパネル１８のそれぞれに折り曲げ可能につながっている。下側端部フラップ７２、７４は、無地材料がカートンへと組み立てられたときに、底部密閉手段を構成する。本発明の範囲から逸脱することなく、その他の底部密閉手段を使用することができると想定される。
【００１９】
上側端部フラップ７６も構成され、下側端部フラップ７２の反対側で、第１の側壁１２及び第２の側壁１６に折り曲げ可能につながっている。上側端部フラップ７６は、無地材料がカートン３０へと組み立てられた際に、第１の側壁１２及び第２の側壁１６に対する補強を構成することができる。無地材料１０はまた、のりしろフラップ８８を含み、これは、折り曲げ線４８に沿ってバックパネル１８に折り曲げ可能につながっている。
【００２０】
次いで無地材料１０から管状の枠箱を組み立てることに移ると、一連の連続した折り曲げ及びのり付け作業が必要とされ、これらは、直線的な機械において実行できることが好ましく、それによって、組立てを完了する上で枠箱及び／又は無地材料１０を回転させたりひっくり返したりする必要がなくなる。折り曲げプロセスは、下記のものに限定されず、特定の製造要件に従って変更することができる。
【００２１】
最初の段階は、のりしろフラップ８８の外側縁部にのりを塗り、次いで折り曲げ線４８を中心にして１８０度折り曲げることであり、これによってのりしろフラップ８８は、バックパネル１８の内側表面と平面を接する関係となる。次いでフロントパネル１４が、折り曲げ線４４を中心にして折り曲げられて、第２のサイドパネル１６の内側表面の上で平らになる。これによって、第１のサイドパネル１２は、バックパネル１８及びのりしろフラップ８８の、のり付けされた外側縁部と平面を接する関係となり、それによって第１のサイドパネル１２は、のりしろフラップ８８に粘着し、したがって第１のサイドパネル１２とバックパネル１８とが結合される。次いで無地材料１０を管状の装置構成へと組み立てることができ、同様の一連の折り曲げ及びのり付けステップを用いて、下側端部フラップ７２、７４を固定して、底部密閉手段を構成することができる。
【００２２】
本発明のこの実施形態においては、上側端部フラップ７６がのり付けされ、折り曲げ線６６を中心にして枠箱の内側へ１８０度折り曲げられて、第１のサイドパネル１２及び第２のサイドパネル１６の上側縁部に対する補強を構成する。本発明のその他の実施形態においては、上側端部フラップ７６は、第２の無地材料２０のパネルに折り曲げ可能に結合することができる。
【００２３】
第２の無地材料２０が、図１Ｂに示されており、これは、図１Ａの無地材料１０から構成された管状の枠箱用のカバーへと構成することができる。無地材料２０は、メインパネル２２を含み、これは、どちら側も、折り曲げ線３２に沿って内側取っ手パネル２４に折り曲げ可能につながっている。取っ手開口５４が、内側取っ手パネル２４から切り取られており、指かけつまみ５８が、取っ手開口５４の上側縁部から内側へ突き出している。内側取っ手パネル２４は、折り曲げ線３４に沿って外側取っ手パネル２６に折り曲げ可能につながっており、これらは、それらの縁部に一体化して構成された指かけつまみ５８を有する。外側取っ手パネル２６は、双方の内側取っ手パネル２４から切り取られている取っ手開口５４、ならびにフロントパネル１４及びバックパネル１８から切り取られている取っ手開口５４の形状をすぼめるように、くぼんで構成されている。カバー端部フラップ２８が、折り曲げ線３８に沿ってメインパネル２２に折り曲げ可能につながっており、組み立てられたときに、装置構成的な剛性ならびに見た目の魅力をカートン３０に構成することができる。
【００２４】
メインパネル２２は、同様に構成されている品物を受け入れるための開口５６をさらに含み、それぞれの開口は、壊しやすい連結部すなわち刻み目３７によって少なくとも１つの他の開口に連結されている。この第１の実施形態においては、開口５６は、２列に配置されており、それぞれの開口５６は、壊しやすい連結部すなわち刻み目３７によって同じ列の少なくとも１つの他の開口５６に連結されている。本発明のその他の実施形態においては、開口５６あるいは壊しやすい連結部すなわち刻み目３７の配置は、本発明の第１の実施形態において説明されているものとは異なるものとすることができる。本発明の範囲から逸脱することなく、多くの配置を使用することができると想定される。
【００２５】
管状の枠箱に６本の瓶を３本×２列の配置で入れると、無地材料２０が折り曲げられて、カバーが構成される。内側取っ手パネル２４及びカバーフラップ２８が、メインパネル２２の面から折り曲げ線３２及び３８を中心にして９０度上側へ折り曲げられる。このようにして、相補的な挿入部が構成され、これを管状の枠箱の内側にはめ込むことができる。次いで内側取っ手パネル２４、カバー端部フラップ２８、及び外側取っ手パネル２６の外側表面にのりを塗ることができる。そして折り曲げられた無地材料２０が、中身の入ったカートンへ挿入され、それによってメインパネル２２の開口５６が、瓶の首と位置合わせされる。次いで内側取っ手パネル２４及びカバーフラップ２８は、のりを使用することによって、図１Ｃに示されているようにフロントパネル１４及びバックパネル１８の内側表面、ならびに第１の側壁１２及び第２の側壁１６の内側表面に固定することができる。そして外側取っ手パネル２６が、折り曲げ線３４を中心にして折り曲げられ、管状の枠箱のフロントパネル１４及びバックパネル１８の外側表面にのり付けされる。このようにして、管状のカートンの装置構成上の全体性が改善され、とりわけ本発明のこの実施形態においては、取っ手が補強されて３層の取っ手を構成している。
【００２６】
無地材料１０及び２０から構成されたカートンが、図１Ｃに示されている。無地材料２０から作成されたカバーが、管状の枠箱の内側に固定されると、瓶がカートン内に固定されることが見て取れる。瓶へのアクセスは、壊しやすい連結部すなわち刻み目３７を切り離すことによって得られ、これは、カートン３０内に収納されている瓶を引っ張るだけで達成することができる。このようにして、それぞれの瓶へ個々にアクセスすることができ、その一方でカートン３０の装置構成上の全体性は保持される。取り出されていない瓶は、カバー内の開口５６によって所定の位置に保持される。したがってこのカートンは、適合性のある持ち運び用の包装箱を構成し、その装置構成上の全体性は、瓶にアクセスした場合でも損なわれない。これによって、このカートンは、空の瓶を便利に返却するために再利用することができる。本発明のこの実施形態においては、すべての瓶が取り外された場合でも、無地材料２０から構成されたカバーの材料は、実際にはカートン３０からまったく取り外されない。
【００２７】
本発明の範囲内でさまざまな変更を行うことができ、たとえばパネル及び開口のサイズ及び形状は、さまざまなサイズや形状の品物を収納するように調整できるということを理解することができる。図２Ａ〜図９Ｃは、本発明のさらなる実施形態を示しており、次いでこれらについて、例示のみを目的として、また本発明の範囲内に留まりながら行うことができる変更のうちのいくつかを示すために説明する。以降の図面においては、同様の特徴を示すために同様の参照番号を使用しており、本発明の第２の実施形態における参照番号には「２００」が加えられ、これらが第２の実施形態の特徴を表しているということが示されている。他の実施形態は、前述した第１の実施形態と共通する特徴を有するため、以降の実施形態における相違点のみを強調する。
【００２８】
図２Ａ、図２Ｂ、及び図２Ｃには、本発明の第２の実施形態が示されており、ここでは第１の実施形態の場合と同様に、無地材料２１０から構成された管状の枠箱が、無地材料２２０から構成されたカバーにはめ込まれる。本発明の第２の実施形態においては、第１の実施形態の配置の代わりに、取っ手開口２５４が、第１の側壁１２及び第２の側壁１６から切り取られており、上側端部フラップ７６が、フロントパネル１４及びバックパネル１８に折り曲げ可能につながっている。
【００２９】
第２の実施形態が第１の実施形態とは異なる点は、カバーが、カートン内で３本×４列の配置で均一に並んだ１２本の瓶を固定するための１２個の開口２５６を含むという点である。瓶へのアクセスは、やはり１つの列のそれぞれの開口２５６を同じ列の少なくとも１つの他の開口２５６に連結している、壊しやすい連結部すなわち刻み目２３７を切断することによって構成される。さらなる壊しやすい連結部すなわち刻み目２３７が、開口２５６のうちの一部及びメインパネル２２２の縁部から構成されている。このようにして、カートン２３０のフロントパネル１４及びバックパネル１８に隣接している瓶へのアクセスが、より容易に得られる。カートン２３０の装置構成上の全体性は、瓶にアクセスした後も維持され、無地材料２２０から構成されたカバーは、実質的に無傷のままである。このカートン２３０は、瓶をリサイクルするために使用することができる。
【００３０】
本発明の第３の実施形態が、図３Ａ、図３Ｂ、図３Ｃ、及び図３Ｄに示されている。無地材料３１０及び３２０から構成されるカートン３３０は、これまでの実施形態におけるような長方形ではない。無地材料３１０は、折り曲げ線３４２ａ／３４２ｂ、３４４ａ／３４４ｂ、３４６ａ／３４６ｂ、及び３４８ａ／３４８ｂに沿って、第１の側壁３１２及び第２の側壁３１６のそれぞれに、ならびにフロントパネル３１４及びバックパネル３１８のそれぞれに折り曲げ可能につながっている追加のコーナーパネル３９０を含む。無地材料３１０から組み立てられる管状のカートンは、カートン３３０内に収納されている瓶にさらなる保護を構成する目的から八角形をしている。追加のコーナーパネル３９０は、瓶の配置のコーナーに位置する瓶を保護する。無地材料３２０から組み立てられる管状のカートン用のカバーは、メインパネル３２２に折り曲げ可能につながっているタブ３９２を含み、これらのタブ３９２は、相補的なカバーの形状が、無地材料３１０から構成された管状の枠箱にしっかりとはまるように特に適合されている。タブ３９２は、内側取っ手パネル３２４及びカバー端部フラップ３２８と同様に折り曲げられる。
【００３１】
本発明の第４の実施形態が、図４Ａ及び図４Ｂに示されている。この実施形態においては、フロントパネル４１４、バックパネル４１８、及び端部フラップ４７４のうちの一方に追加の折り曲げ線４８０、４８２、４８４が構成されており、これらの折り曲げ線を使用して、無地材料４１０から構成された組立て後の枠箱を平らな状態へと折り曲げることができる。これによって、無地材料をあらかじめのり付けして枠箱を構成しておき、その上で平らな状態へと折り曲げられる装置構成を構成して、枠箱に品物を入れる前の保管及び持ち運びを容易にすることができる。
【００３２】
無地材料４１０からの枠箱の組立ては、これまで説明した組立て方と同様である。のりしろフラップ４８８を用いて、第１のサイドパネル４１２をバックパネル４１８に固定して、管状の枠箱を構成する。２つの端部フラップ４７２を相互に固定することによって、複合底部壁が構成される。これは、接着剤や当技術分野で知られているその他の手段を使用することによって達成することができる。折り曲げ線４８０、４８２、４８４は、無地材料４１０から構成された管状の枠箱を平らに折り曲げることができるように位置合わせされている。
【００３３】
本発明の第５の実施形態が、図５Ａ、図５Ｂ、図５Ｃ、及び図５Ｄに示されている。カバーを構成するための無地材料５２０は、これまでの実施形態のものと類似しているが、瓶やその他の類似した品物の別の配置を容易にするように構成されている。この実施形態においては、無地材料５１０から構成された管状の枠箱に入れられる品物は、それぞれ４個、３個、及び４個の３行に配置される。３つの行のうちの真ん中の行の開口５５６が、隣接する行の開口５５６どうしの間を埋め合わせる形になっている。品物や瓶のこの構成は、フロントパネル５１４及びバックパネル５１８に隣接するカートンの対向する端部にくぼみを構成する。これらのくぼみは、フロントパネル５１４及びバックパネル５１８から切り取られている取っ手開口５５４が、枠箱を持ち上げるために使用されているときに、消費者の両手のためのスペースを枠箱の内側に構成する。
【００３４】
この実施形態の瓶にアクセスするために、メインパネル５２２は、壊しやすい連結部すなわち刻み目５３７を含み、これらの壊しやすい連結部すなわち刻み目５３７は、図５Ｃに示されているように、真ん中の行の開口５５６のそれぞれを他の２つの行のそれぞれの少なくとも２つの開口５５６に連結している。さらなる壊しやすい連結部すなわち刻み目５３７が、第１の側壁５１２及び第２の側壁５１６に最も近い開口５５６と、カートン５３０の第１の側壁５１２及び第２の側壁５１６との間にも構成されている。第１の実施形態と同様に、瓶へのアクセスは、図５Ｄに示されているように、瓶の周りの刻み目５３７を切り離すことによって得られる。このようにして、それぞれの瓶へ個々にアクセスすることができ、その一方でカートンの装置構成上の完全性は保持される。
【００３５】
その上、さらなる実施形態が、図６Ａ、図６Ｂ、及び図６Ｃに示されている。第６の実施形態の無地材料６１０及び６２０から組み立てられたカートンが、図６Ｃに示されている。この実施形態においては、１２本の瓶が、６本ずつ２行に配置される。壊しやすい連結部すなわち刻み目６３７は、メインパネル６２２内に構成されているそれらの刻み目６３７のうちのいくつかが交差するような形で、１つの行の開口６５６を隣接する行の少なくとも１つの開口６５６に連結している。刻み目の切り離しは、この実施形態においては、刻み目６３７どうしが交差している点に力を加えることによって、容易に達成することができる。この実施形態においては、刻み目６３７は、フロントパネル６１４及びバックパネル６１８に隣接する開口と、フロントパネル６１４及びバックパネル６１８そのものとの間にも延びている。
【００３６】
第７の実施形態が、図７Ａ、図７Ｂ、及び図７Ｃに示されている。管状の枠箱を構成するための無地材料７１０が、図７Ａに示されている。第１の側壁７１２及び第２の側壁７１４にも、取っ手開口７５４が構成され、これによって、組み立てられたカートンは、図７Ｃに示されているように４つの補強された取っ手を具備し、この４つの補強された取っ手によって、カートン７３０の汎用性が高まる。
【００３７】
本発明の第７の実施形態においては、カバーを構成するための無地材料７２０は、第１の実施形態におけるような２つの側部だけでなく、メインパネル７２２の各側部のそれぞれに、内側取っ手パネル７２４及び外側取っ手パネル７２６を構成されている。カバーは、第１の実施形態の場合と同様の方法で、無地材料７１０から構成された枠箱に固定され、内側取っ手パネル７２４のそれぞれが、メインパネル７２２の面から上側に折り曲げられて、相補的な挿入部が構成される。これが、中身の入った管状の枠箱の内側にはめ込まれる。次いで、のりや当技術分野で知られているその他の固定手段を内側取っ手パネル７２４及び外側取っ手パネル７２６の外側表面に適用することができる。そして折り曲げられた無地材料７２０を中身の入ったカートンに挿入することができ、これによってメインパネル７２２の開口７５４が、瓶の首と位置合わせされる。次いで内側取っ手パネル７２４が、図７Ｃに示されているように、フロントパネル７１４及びバックパネル７１８ならびに第１の側壁７１２及び第２の側壁７１６のそれぞれの内側表面に固定される。そして外側取っ手パネル７２６を折り曲げて、管状の枠箱のフロントパネル７１４及びバックパネル７１８ならびに第１の側壁７１２及び第２の側壁７１６のそれぞれの外側表面にのり付けすることができる。
【００３８】
本発明の第８の実施形態が、図８Ａ〜図８Ｆに示されている。本発明のこの実施形態においては、カートン８３０は、１２本の瓶を３本ずつ４行の状態で受け入れるように構成されているが、両端の行は、盛り上がったカバーフラップ８２８ｂの下で視界から隠されている。メインパネル８２２には、６つの開口８５６が３本ずつ２行の状態で構成されて、残りの６本の瓶が見えるようになっている。壊しやすい連結部すなわち刻み目８３７によって、開口８５６のそれぞれが、少なくとも１つの他の開口８５６に連結されている。
【００３９】
本発明のその他の実施形態の場合と同様に、取っ手パネル８５４が第１の側壁１２及び第２の側壁１６から切り取られており、上側端部フラップ８７６が構成され、フロントパネル及びバックパネルに折り曲げ可能につながっている。しかしこの実施形態においては、上側端部フラップ８７６は、フロントパネル１４及びバックパネル１８と平面を接する状態では固定されず、無地材料８１０、８２０がカートン８３０へと組み立てられる際には、無地材料８２０のカバーに固定される。無地材料８２０には、メインパネル８２２のどちら側にもカバー端部フラップ８２８ａ及び８２８ｂが構成されている。カートンを組み立てるために、内側取っ手パネル８２４及び外側取っ手パネル８２６ならびにカバー端部フラップ８２８ａ及び８２８ｂが、図８Ｃに示されているようにメインパネル８２２の面から上側に折り曲げられる。図８Ｄの管状の枠箱は、折り曲げ及びのり付けステップという同様の作業を介して組み立てられるが、上側端部フラップ８７６は、フロントパネル１４及びバックパネル１８に固定されない。図８Ｃのカバーは、８Ｄの中身の入ったカートンと位置合わせされ、それによって内側取っ手パネル８２４及び外側取っ手パネル８２６が、他の実施形態において説明したのと同様にカートンに固定される。カバー端部フラップ８２８ａ及び８２８ｂが、図８Ｅに示されているように折り曲げられ、カバー端部フラップ８２８ｂが、その他の公知の手段の接着剤によって上側端部フラップ８７６に固定される。このようにして、２つの長方形のカバーが構成され、これらのカバーは、図８Ｆに示されているように、カートン８３０内に収納されている両端の行の瓶を視界から隠す。カバー端部フラップ８２８ｂはまた、第８の実施形態のカートン８３０をお互いの上にさらに容易に重ねられるようにする領域を構成する。
【００４０】
第９の実施形態が、図９Ａ〜図９Ｃに示されている。管状の枠箱を構成するための無地材料９１０が、図９Ａに示されている。無地材料９１０は、第１のサイドパネル９１２及び第２のサイドパネル９１６、フロントパネル９１４及びバックパネル９１８、ならびにコーナーパネル９９０を含み、これらは、それぞれ折り曲げ線９４２ａ、９４２ｂ、９４４ａ、９４４ｂ、９４６ａ、９４６ｂ、９４８ａ、及び９４８ｂに沿って順次連続して折り曲げ可能につながっている。バックパネル９１８を第１の側壁９１２に固定するために、のりしろフラップ９８８が構成されており、この実施形態においては、のりしろフラップ９８８の上側端部の方にくぼみが構成されている。取っ手開口９５４が、第１の側壁９１２及び第２の側壁９１６から切り取られており、この取っ手開口９５４には、指かけつまみ９５８が構成されている。無地材料９１０が管状の枠箱へと組み立てられた際に、フロントパネル９１４、バックパネル９１８、及びコーナーパネル９９０の上側縁部の補強を構成するために、上側端部フラップ９７６が、フロントパネル９１４、バックパネル９１８、及びコーナーパネル９９０のそれぞれに折り曲げ可能につながっている。これまでの実施形態の場合と同様の一連の折り曲げ及びのり付け作業を用いて、管状の枠箱を組み立てる。
【００４１】
無地材料９２０が、図９Ｂに示されている。無地材料９２０は、カバーへと組み立てられ、そのカバーが、図９Ｃに示されているようなカートン９３０を構成するために管状の枠箱へと挿入される。本発明のこの実施形態においては、内側取っ手パネル９２４及び外側取っ手パネル９２６が、カバー端部フラップ９２８と共にメインパネル９２２に折り曲げ可能につながっている。本発明のこの実施形態においては、メインパネル９２２には、それぞれが１本の瓶の一部を受け入れるための１２個の開口９５６が、３個ずつ４列の配置で構成されている。管状の枠箱に瓶を入れると、無地材料９２０から構成されたカバーが、瓶の首と位置合わせされる。次いで内側取っ手パネル９２４、カバー端部フラップ９２８、及びタブ９９２を第１のサイドパネル９１２及び第２のサイドパネル９１６、フロントパネル９１４及びバックパネル９１８、ならびにコーナーパネル９９０の内側表面に固定することができる。外側取っ手パネル９２６は、第１の側壁９１２及び第２の側壁９１６の外側表面に固定することができる。このようにして、３つの層の補強された取っ手が、カートン９３０の対向する端部に構成され、それらの層のうちの１つは、第１の側壁９１２及び第２の側壁９１６によって構成され、それらの層のうちの２つは、内側取っ手パネル９２４及び外側取っ手パネルによって構成される
【００４２】
本発明のその他の実施形態の場合と同様に、閉じられているカートン９３０内に収納されている瓶へのアクセスは、壊しやすい連結部すなわち刻み目９３７を切り離すことによって達成される。この実施形態においては、壊しやすい連結部すなわち刻み目９３７は、開口９５６どうしの間に概念的な直線として延びてはおらず、開口９５６の周りに一連の部分的な同心円状の輪として配置されている。１つの同心円状の輪の概念的な線に沿った刻み目９３７は、隣接する同心円状の輪の状態で構成されている刻み目９３７から補われている。このようにして、それぞれの開口９５６は、壊しやすい連結部を少なくとも１つの隣接する開口９５６と共具備し、この連結部を十分に切り離すことは、カートン９３０から瓶を取り外すことによって達成することができる。本発明のこの実施形態においては、メインパネル９２２は、カートン９３０内に収納されているすべての瓶を取り外しても、カートン９３０と実質的に一体化されたままにすることができる。壊しやすい連結部すなわち刻み目９３７は、瓶がカートン９３０から取り外されても、メインパネル９２２を構成している材料がカートン９３０内に残ることができるように配置される。
【００４３】
本明細書に記載されているさまざまな実施形態の特徴は、本発明の範囲から逸脱することなく組み合わせることができると想定される。たとえば第５の実施形態の無地材料５２０から構成されるカバーは、第４の実施形態の無地材料４１０から構成される管状の枠箱にぴったりはまるようにサイズ設定することができる。
【００４４】
本発明のその他の実施形態においては、上部パネル内に構成される開口は、円形以外の形態とすることができ、カートン内に収納されている瓶の首やその他の品物を保持する上で補助となるように、開口内へと突き出したさらなるタブを構成することもできる。
【００４５】
本明細書で使用する際、「上部」、「底部」、「フロント」、「バック」、「端部」、「側部」、「内側」、「外側」、「上側」、及び「下側」などの方向に関する言及は、それぞれのパネルをそのような方向に限定するものではなく、これらのパネルをお互いから区別する役割を果たしているにすぎないということが認識できるであろう。折り曲げ可能なつながりに関するいかなる言及も、必ずしも単一の折り曲げ線のみを指すものと解釈すべきではなく、実際には、本発明の範囲から逸脱することなく、切り込み線、折りやすい線、又は折り曲げ線のうちの１つ又は複数から折り曲げ可能なつながりを構成することができると想定される。
【図面の簡単な説明】
【００４６】
【図１Ａ】本発明の第１の実施形態によるカートンを構成するための無地材料の第１の部分を示す図である。
【図１Ｂ】本発明の第１の実施形態によるカートンを構成するための無地材料の第２の部分を示す図である。
【図１Ｃ】図１Ａ及び図１Ｂの無地材料から組み立てられたカートンを前部、側部、及び上部から示す斜視図である。
【図２Ａ】本発明の第２の実施形態によるカートンを構成するための無地材料の第１の部分を示す図である。
【図２Ｂ】本発明の第２の実施形態によるカートンを構成するための無地材料の第２の部分を示す図である。
【図２Ｃ】図２Ａ及び図２Ｂの無地材料から組み立てられたカートンを前部及び側部から示す斜視図である。
【図３Ａ】本発明の第３の実施形態によるカートンを構成するための無地材料の第１の部分を示す図である。
【図３Ｂ】本発明の第３の実施形態によるカートンを構成するための無地材料の第２の部分を示す図である。
【図３Ｃ】図３Ａ及び図３Ｂの無地材料から組み立てられたカートンを前部及び側部から示す斜視図である。
【図３Ｄ】図３Ｃのカートンを示す上面図であり、瓶をカートンから取り出すところを示す図である。
【図４Ａ】本発明の第４の実施形態によるカートンを構成するための無地材料の第１の部分を示す図である。
【図４Ｂ】本発明の第４の実施形態によるカートンを構成するための無地材料の第２の部分を示す図である。
【図５Ａ】本発明の第５の実施形態によるカートンを構成するための無地材料の第１の部分を示す図である。
【図５Ｂ】本発明の第５の実施形態によるカートンを構成するための無地材料の第２の部分を示す図である。
【図５Ｃ】図５Ａ及び図５Ｂの無地材料から組み立てられたカートンを前部及び側部から示す斜視図である。
【図５Ｄ】図５Ｃのカートンを示す上面図であり、瓶をカートンから取り出すところを示す図である。
【図６Ａ】本発明の第６の実施形態によるカートンを構成するための無地材料の第１の部分を示す図である。
【図６Ｂ】本発明の第６の実施形態によるカートンを構成するための無地材料の第２の部分を示す図である。
【図６Ｃ】図６Ａ及び図６Ｂの無地材料から組み立てられたカートンを示す上面図である。
【図７Ａ】本発明の第７の実施形態によるカートンを構成するための無地材料の第１の部分を示す図である。
【図７Ｂ】本発明の第７の実施形態によるカートンを構成するための無地材料の第２の部分を示す図である。
【図７Ｃ】図７Ａ及び図７Ｂの無地材料から組み立てられたカートンを前部及び側部から示す斜視図である。
【図８Ａ】本発明の第８の実施形態によるカートンを構成するための無地材料の第１の部分を示す図である。
【図８Ｂ】本発明の第８の実施形態によるカートンを構成するための無地材料の第２の部分を示す図である。
【図８Ｃ】図８Ｂに示されている無地材料を折り曲げるプロセスにおける第１のステップを示す図である。
【図８Ｄ】図８Ａに示されている無地材料を折り曲げるプロセスにおける第１のステップを示す図である。
【図８Ｅ】図８Ａ及び図８Ｂの無地材料から構成されたカートンの組立てにおける１つのステップを示す図である。
【図８Ｆ】図８Ａ及び図８Ｂの無地材料から組み立てられたカートンを前部及び上部から示す斜視図である。
【図９Ａ】本発明の第９の実施形態によるカートンを構成するための無地材料の第１の部分を示す図である。
【図９Ｂ】本発明の第９の実施形態によるカートンを構成するための無地材料の第２の部分を示す図である。
【図９Ｃ】図９Ａ及び図９Ｂの無地材料から組み立てられたカートンを前部及び側部から示す斜視図である。
【符号の説明】
【００４７】
１０  無地材料
１２  第１の側壁
１４  フロントパネル
１６  第２の側壁
１８  バックパネル
２０  無地材料
２２  メインパネル
２４  内側取っ手パネル
２６  外側取っ手パネル
２８  カバー端部フラップ
３０  カートン
３２  折り曲げ線
３４  折り曲げ線
３７  壊しやすい連結部すなわち刻み目
３８  折り曲げ線
４２  折り曲げ線
４４  折り曲げ線
４６  折り曲げ線
４８  折り曲げ線
５４  取っ手開口
５６  開口
５８  指かけつまみ
６２  折り曲げ線
６４  折り曲げ線
６６  折り曲げ線
７２  下側端部フラップ
７４  下側端部フラップ
７６  上側端部フラップ
８８  のりしろフラップ
２１０  無地材料
２２０  無地材料
２２２  メインパネル
２３０  カートン
２３７  壊しやすい連結部すなわち刻み目
２５４  取っ手開口
２５６  開口
３１０  無地材料
３１２  第１の側壁
３１４  フロントパネル
３１６  第２の側壁
３１８  バックパネル
３２０  無地材料
３２２  メインパネル
３２４  内側取っ手パネル
３２８  カバー端部フラップ
３３０  カートン
３４２ａ  折り曲げ線
３４２ｂ  折り曲げ線
３４４ａ  折り曲げ線
３４４ｂ  折り曲げ線
３４６ａ  折り曲げ線
３４６ｂ  折り曲げ線
３４８ａ  折り曲げ線
３４８ｂ  折り曲げ線
３９０  コーナーパネル
３９２  タブ
４１０  無地材料
４１２  第１のサイドパネル
４１４  フロントパネル
４１８  バックパネル
４７２  端部フラップ
４７４  端部フラップ
４８０  折り曲げ線
４８２  折り曲げ線
４８４  折り曲げ線
４８８  のりしろフラップ
５１０  無地材料
５１２  第１の側壁
５１４  フロントパネル
５１６  第２の側壁
５１８  バックパネル
５２０  無地材料
５２２  メインパネル
５３０  カートン
５３７  壊しやすい連結部すなわち刻み目
５５４  取っ手開口
５５６  開口
６１０  無地材料
６１４  フロントパネル
６１８  バックパネル
６２０  無地材料
６２２  メインパネル
６３７  壊しやすい連結部すなわち刻み目
６５６  開口
７１０  無地材料
７１２  第１の側壁
７１４  フロントパネル
７１６  第２の側壁
７１８  バックパネル
７２０  無地材料
７２２  メインパネル
７２４  内側取っ手パネル
７２６  外側取っ手パネル
７３０  カートン
７５４  取っ手開口
８１０  無地材料
８２０  無地材料
８２２  メインパネル
８２４  内側取っ手パネル
８２６  外側取っ手パネル
８２８ａ  カバー端部フラップ
８２８ｂ  カバー端部フラップ
８３０  カートン
８３７  壊しやすい連結部すなわち刻み目
８５４  取っ手パネル
８５６  開口
８７６  上側端部フラップ
９１０  無地材料
９１２  第１のサイドパネル
９１４  フロントパネル
９１６  第２のサイドパネル
９１８  バックパネル
９２０  無地材料
９２２  メインパネル
９２４  内側取っ手パネル
９２６  外側取っ手パネル
９２８  カバー端部フラップ
９３０  カートン
９３７  壊しやすい連結部すなわち刻み目
９４２ａ  折り曲げ線
９４２ｂ  折り曲げ線
９４４ａ  折り曲げ線
９４４ｂ  折り曲げ線
９４６ａ  折り曲げ線
９４６ｂ  折り曲げ線
９４８ａ  折り曲げ線
９４８ｂ  折り曲げ線
９５４  取っ手開口
９５６  開口
９５８  指かけつまみ
９７６  上側端部フラップ
９８８  のりしろフラップ
９９０  コーナーパネル
９９２  タブ
【図１Ａ】
2007532420.tif 000003
【図１Ｂ】
2007532420.tif 000004
【図１Ｃ】
2007532420.tif 000005
【図２Ａ】
2007532420.tif 000006
【図２Ｂ】
2007532420.tif 000007
【図２Ｃ】
2007532420.tif 000008
【図３Ａ】
2007532420.tif 000009
【図３Ｂ】
2007532420.tif 000010
【図３Ｃ】
2007532420.tif 000011
【図３Ｄ】
2007532420.tif 000012
【図４Ａ】
2007532420.tif 000013
【図４Ｂ】
2007532420.tif 000014
【図５Ａ】
2007532420.tif 000015
【図５Ｂ】
2007532420.tif 000016
【図５Ｃ】
2007532420.tif 000017
【図５Ｄ】
2007532420.tif 000018
【図６Ａ】
2007532420.tif 000019
【図６Ｂ】
2007532420.tif 000020
【図６Ｃ】
2007532420.tif 000021
【図７Ａ】
2007532420.tif 000022
【図７Ｂ】
2007532420.tif 000023
【図７Ｃ】
2007532420.tif 000024
【図８Ａ】
2007532420.tif 000025
【図８Ｂ】
2007532420.tif 000026
【図８Ｅ】
2007532420.tif 000027
【図８Ｆ】
2007532420.tif 000028
【図９Ａ】
2007532420.tif 000029
【図９Ｂ】
2007532420.tif 000030
【図９Ｃ】
2007532420.tif 000031
【手続補正書】
【提出日】平成18年3月22日(2006.3.22)
【手続補正１】
【補正対象書類名】明細書
【補正対象項目名】０００６
【補正方法】変更
【補正の内容】
【０００６】
本発明の第１の態様によれば、上部の開いた包装箱と別個の上蓋を含み、かつ少なくとも１つの補強された取っ手構造体をそれぞれ具備するタイプのカートンであって、補強された取っ手構造体又は各取っ手構造体の第１の層が上部の開いた包装箱の側壁によって構成され、補強された取っ手構造体の第２の層が別個の上蓋に折り曲げ可能につながっている取っ手パネルによって構成され、補強された取っ手構造体のそれぞれの第３の層が上述の別個の上蓋又は上部の開いた包装箱のうちの１つによって構成されることを特徴とする。
【手続補正２】
【補正対象書類名】明細書
【補正対象項目名】０００７
【補正方法】変更
【補正の内容】
【０００７】
上蓋に折り曲げ可能につながっている取っ手パネルが補強された取っ手構造体の第１の層の内側表面と平面接触状態で固定されることが好ましい。
【手続補正３】
【補正対象書類名】明細書
【補正対象項目名】０００８
【補正方法】変更
【補正の内容】
【０００８】
さらに、補強された取っ手構造体の第３の層は第１の層の外側表面と平面接触状態で固定される。
【手続補正４】
【補正対象書類名】明細書
【補正対象項目名】０００９
【補正方法】変更
【補正の内容】
【０００９】
補強された取っ手構造体の第３の層が補強された取っ手構造体の第２の層に折り曲げ可能につながっており、第２の層と第３の層の間における折り曲げ可能なつながりが別個の上蓋と上部の開いた包装箱を整合するための手段を構成することが好ましい。
補強された取っ手構造体の第１の層が第２の層と別個の上蓋によって構成される第３の層の間に接触する関係で配置されることが好ましい。
【手続補正５】
【補正対象書類名】明細書
【補正対象項目名】００１０
【補正方法】変更
【補正の内容】
【００１０】
本発明の第２の態様によれば、上部の開いた包装箱の壁のうちの少なくとも１つが上部の開いた包装箱内へと下向きに延在するように折り曲げられている上部フラップを有し、別個の上蓋が上部フラップを係合させるための係合タブを含み、この係合タブが上述の１つの壁と上部フラップの間に面接触する関係で配置され、上蓋が上部の開いた包装箱の上部より下の窪んだ位置に錠止されるような配置になるように上部フラップが係合する。
【手続補正６】
【補正対象書類名】明細書
【補正対象項目名】００１１
【補正方法】変更
【補正の内容】
【００１１】
本発明の第３の態様によれば、別個の上蓋を具備する上部の開いた包装箱を含むタイプのカートンを構成するための２つの部分からなる無地材料であって、第１の無地材料が組み立てられて上部の開いた包装箱を構成し、第２の無地材料が組み立てられて上蓋を構成し、組み立てられたカートンが少なくとも１つの補強された取っ手構造体を具備し、補強された取っ手構造体のそれぞれが少なくとも３層構造から成り、第１の層が上部の開いた包装箱によって構成され、第２の層が上蓋によって構成され、補強された取っ手構造体のそれぞれの第３の層が上述の別個の上蓋又は上部の開いた包装箱のうちの１つによって構成されることを特徴とする。
【手続補正７】
【補正対象書類名】明細書
【補正対象項目名】００１２
【補正方法】変更
【補正の内容】
【００１２】
第１の無地材料が側壁を含み、補強された取っ手構造体の第１の層が、組み立てられたカートン内の上部の開いた包装箱の側壁のうちの１つによって構成されることが好ましい。
【手続補正８】
【補正対象書類名】明細書
【補正対象項目名】００１３
【補正方法】変更
【補正の内容】
【００１３】
さらに、別個の上蓋を供する第２の無地材料は補強された取っ手構造体の第２の層を構成するための少なくとも１つの取っ手パネルを含む。
【手続補正９】
【補正対象書類名】図面
【補正対象項目名】図２Ｃ
【補正方法】変更
【補正の内容】
【図２Ｃ】
2007532420.tif 000032
【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
上部の開いた包装箱と別個の上蓋を含み、かつ少なくとも１つの補強された取っ手構造体を具備するタイプのカートンであって、
補強された前記取っ手構造体又は各取っ手構造体の第１の層が上部の開いた前記包装箱によって構成され、
補強された前記取っ手構造体又は各取っ手構造体の第２の層が別個の前記上蓋に折り曲げ可能につながっている取っ手パネルによって構成されるカートンにおいて、
補強された前記取っ手構造体又は各取っ手構造体の第３の層が別個の前記上蓋又は上部の開いた前記包装箱のうちの１つによって構成されることを特徴とするカートン。
【請求項２】
前記上蓋に折り曲げ可能につながっている前記取っ手パネルが補強された前記取っ手構造体の前記第１の層の内側表面と平面接触状態で固定される、請求項１に記載のカートン。
【請求項３】
補強された前記取っ手構造体の前記第３の層が前記第１の層の外側表面と平面接触状態で固定される、請求項１に記載のカートン。
【請求項４】
補強された前記取っ手構造体の前記第３の層が補強された前記取っ手の前記第２の層に折り曲げ可能につながっており、
前記第２の層と前記第３の層との間における折り曲げ可能なつながりが別個の前記上蓋と上部の開いた前記包装箱を整合するための手段を構成する、請求項１に記載のカートン。
【請求項５】
補強された前記取っ手構造体の前記第１の層が前記第２の層と別個の前記上蓋によって構成される前記第３の層の間に接触する関係で配置される、請求項４に記載のカートン。
【請求項６】
上部の開いた前記包装箱の壁のうちの少なくとも１つが上部の開いた前記包装箱内へと下向きに延在するように折り曲げられている上部フラップを具備し、
別個の前記上蓋が、前記上部フラップを係合させるための係合タブを含み、
前記係合タブが、前記１つの壁と前記上部フラップとの間に面接触する関係で配置され、
前記上蓋が上部の開いた前記包装箱の上部より下の窪んだ位置に錠止されるような配置になる、請求項１に記載のカートン。
【請求項７】
別個の上蓋を具備する上部の開いた包装箱を含むタイプのカートンを構成するための２つの部分からなる無地材料であって、
第１の無地材料が組み立てられて上部の開いた前記包装箱を構成し、
第２の無地材料が組み立てられて前記上蓋を構成し、
組み立てられたカートンが少なくとも１つの補強された前記取っ手を具備し、
補強された前記取っ手又は各取っ手が少なくとも３層構造から成り、
第１の層が、上部の開いた前記包装箱によって構成され、
第２の層が、前記上蓋によって構成される２つの部分からなる無地材料において、
補強された前記取っ手構造体のそれぞれの第３の層が別個の前記上蓋又は上部の開いた前記包装箱のうちの１つによって構成されることを特徴とする２つの部分からなる無地材料。
【請求項８】
前記第１の無地材料が側壁を含み、
補強された前記取っ手構造体の前記第１の層が組み立てられた前記カートン内の上部の開いた前記包装箱の前記側壁のうちの１つによって構成される、請求項７に記載の２つの部分からなる無地材料。
【請求項９】
別個の前記上蓋を構成する前記第２の無地材料が、補強された前記取っ手構造体の前記第２の層を構成するための少なくとも１つの取っ手パネルを含む、請求項７または請求項８に記載の２つの部分からなる無地材料。
【国際調査報告】
2007532420.tif 000033
2007532420.tif 000034
2007532420.tif 000035
2007532420.tif 000036
2007532420.tif 000037